(57)【特許請求の範囲】
【請求項１】
前面基板と背面基板とを対向配置して、紫外線を発生するガスを封止すると共に、前記前面基板と背面基板との間隙にマトリクス状に配設された複数の放電セルを形成したプラズマディスプレイパネルであって、
奇数行に配置された単位セルと前記奇数行に隣接する偶数行に配置された単位セルとが、行方向の単位セル幅の半分だけ、行方向に互いにずらされて配列されると共に、行方向に連続して配置された赤色発光用の単位セルと緑色発光用の単位セルと青色発光用の単位セルとが一画素を構成し、列方向に直交する方向に、走査電極及び共通電極がそれぞれ交互に配列され、且つ、奇数行セルと偶数行セルとにそれぞれ異なるデータ電極が設けられ、一本の前記走査電極で前記奇数行セルと前記偶数行セルとの二行分の書き込み放電を同時に行うように構成し、
前記背面基板上の単位セルの中央に位置する部分に突出部が形成され、前記データ電極が前記突出部上及び前記背面基板表面を通るように形成されたことを特徴とするプラズマディスプレイパネル。
【請求項２】
各単位セルは、隔壁によって互いに仕切られ、
前記隔壁は、
行方向において隣り合う単位セルどうしの境界における全範囲に沿って形成された第１部分と、
列方向において隣り合う単位セルどうしの境界における一部の範囲を除く連続的な１つの範囲に沿って形成された第２部分と、
からなり、
一の単位セルを仕切る一対の前記第１部分のうち、前記一の単位セルとは前記第２部分を介して列方向に隣接する単位セルに対し列方向において隣に位置する第１部分と、前記隣接する単位セルを仕切る一対の前記第１部分のうち、前記一の単位セルに対し列方向において隣に位置する第１部分とは、当該第２部分を介して互いに連続的に形成されていることを特徴とする請求項１記載のプラズマディスプレイパネル。
【請求項３】
各単位セルは、各単位セルどうしの境界における全範囲に沿って形成された隔壁によって互いに仕切られていることを特徴とする請求項１記載のプラズマディスプレイパネル。
【請求項４】
前記走査電極及び共通電極のそれぞれが、透明電極と、該透明電極に対して接触する金属電極と、によって構成され、前記透明電極の形状を、櫛歯状に形成し、前記金属電極が、透明電極の櫛歯状の先端部に位置していることを特徴とする請求項１乃至３のいずれか記載のプラズマディスプレイパネル。
【請求項５】
前記透明電極の前記櫛状の歯の先端が絞られるように形成されたことを特徴とする請求項４記載のプラズマディスプレイパネル。
【請求項６】
前記走査電極及び共通電極のそれぞれが、透明電極と、該透明電極に対して接触する金属電極と、によって構成され、前記透明電極の形状が、帯状であることを特徴とする請求項１乃至３のいずれか記載のプラズマディスプレイパネル。
【請求項７】
前記走査電極及び前記共通電極が透明な誘電体層で覆われると共に、前記単位セル内の列方向外側に位置する前記誘電体層の内部にカラーフィルタが形成されることを特徴とする請求項１乃至６のいずれか記載のプラズマディスプレイパネル。
【請求項８】
前記カラーフィルタの形状が、単位セルの中央部に対して開口するＵ字型であることを特徴とする請求項７記載のプラズマディスプレイパネル。
【発明の詳細な説明】
【０００１】
【発明の属する技術分野】
本発明は、情報表示端末や平面型テレビなどに用いられるプラズマディスプレイパネルに関し、特に、プラズマディスプレイパネルの構造に関する。
【０００２】
【従来の技術】
ＡＣ形プラズマディスプレイパネルの中で、特に、一方の基板である前面基板に走査電極と共通電極とを形成すると共に、他方の基板である背面基板にデータ電極を形成し、データ電極及び走査電極を駆動して、表示すべき単位セルを選択する書き込み放電を行う一方、走査電極及び共通電極を駆動して選択した単位セルの面放電による維持放電を行うように構成した３電極面放電型プラズマディスプレイパネルは、前面基板における面放電時に発生する高エネルギーのイオンが背面基板に形成した蛍光体を衝撃して劣化させることがなく、このため、長寿命化を図ることができ、広く採用されている。
【０００３】
図１３は、従来のＡＣ形３電極面放電型プラズマディスプレイパネルの構造を示す斜視図、図１４は、図１３のＬ-Ｌ矢視断面図、図１５は、図１３のＭ-Ｍ矢視断面図である。従来のプラズマディスプレイパネルは、図１３乃至図１５に示すように、透明基板から成る前面基板１０に、透明電極２３ａと金属電極２ａとからなる走査電極２４と、透明電極２３ｂと金属電極２ｂからなる共通電極２５とが放電ギャップ２０を挟んで形成され、各電極２４、２５は誘電体層８ａで覆われ、更に保護層９で覆われている。
【０００４】
一方、透明基板から成る背面基板１１には、データ電極７が形成され、このデータ電極７は、誘電体層８ｂで覆われている。各データ電極７間に位置する誘電体層８ｂ上に帯状隔壁２２が形成され、誘電体層８ｂ表面と帯状隔壁２２側面に、赤色、緑色、青色の３原色の発光が得られる蛍光体１４Ｒ、１４Ｇ、１４Ｂが交互に塗布される。そして、前面基板１０と背面基板１１とは、走査電極２４及び共通電極２５と、データ電極７とが直交するように対向して一体に組み立てられ、放電空間１５内には放電により紫外線を発生するガスが封入される。
【０００５】
上述のような従来のプラズマディスプレイパネルには、各単位セル１６毎に走査電極２４及び共通電極２５と、データ電極７とから成る三種類の電極が配置されて、各蛍光体１４Ｒ、１４Ｇ、１４Ｂを含む三個の単位セル１６により、画面の一画素が構成される。また、列方向Ｖの各単位セル１６間には単位セル相互間の放電干渉を防止するための非放電ギャップ２１が設けられている。
【０００６】
上述のプラズマディスプレイパネルを駆動するには、データ電極７及び走査電極２４をそれぞれデータパルス及び走査パルスにより駆動して書き込み放電を行って表示すべき単位セル１６を選択する一方、走査電極２４及び共通電極２５を駆動して選択した単位セル１６の面放電による維持放電を行わせるような制御がなされる。更に、十分な階調表示を行うために、１フィールド内に８乃至１０個のサブフィールドが設けられ、各サブフィールドは、書き込み放電を行うための走査期間と維持放電を行うための維持期間、書き込み放電を安定させるためのプライミング期間から構成されている。
【０００７】
【発明が解決しようとする課題】
しかしながら、従来のプラズマディスプレイパネルにおいて、単位セル１６内に二本の金属電極２が必要であり、列方向単位セル１６間の放電干渉を防止する非放電ギャップ２１が必要なため、単位セル１６の開口率が低く、透明電極２３ａ、２３ｂの発光に寄与する面積を大きくとることが出来ないという欠点があった。
又、書き込み放電を行うための走査期間が、各サブフィールドに必要であるため、１フィールドに対する輝度を得るための維持期間が短いという欠点もあった。更に、発光させるための放電電流以外に、各電極間の静電容量を充放電するための電流が必要なため、無効電力が多いという欠点があった。
【０００８】
本発明は、前述の欠点を解決するためになされたものであり、その目的とするところは、開口率を大きく向上させ、透明電極の発光に寄与する面積を拡大し、更に、走査期間を半分に短縮でき、また、無効電力を低減できる新規なプラズマディスプレイパネルを提供することを目的としている。
【０００９】
【課題を解決するための手段】
上記課題を解決するために、請求項１記載の発明は、前面基板と背面基板とを対向配置して、紫外線を発生するガスを封止すると共に、前記前面基板と背面基板との間隙にマトリクス状に配設された複数の放電セルを形成したプラズマディスプレイパネルであって、奇数行に配置された単位セルと前記奇数行に隣接する偶数行に配置された単位セルとが、行方向の単位セル幅の半分だけ、行方向に互いにずらされて配列されると共に、行方向に連続して配置された赤色発光用の単位セルと緑色発光用の単位セルと青色発光用の単位セルとが一画素を構成し、列方向に直交する方向に、走査電極及び共通電極がそれぞれ交互に配列され、且つ、奇数行セルと偶数行セルとにそれぞれ異なるデータ電極が設けられ、一本の前記走査電極で前記奇数行セルと前記偶数行セルとの二行分の書き込み放電を同時に行うように構成し、前記背面基板上の単位セルの中央に位置する部分に突出部が形成され、前記データ電極が前記突出部上及び前記背面基板表面を通るように形成されたことを特徴としている。
【００１０】
又、請求項２記載の発明は、請求項１記載のプラズマディスプレイパネルに係り、各単位セルは、隔壁によって互いに仕切られ、前記隔壁は、行方向において隣り合う単位セルどうしの境界における全範囲に沿って形成された第１部分と、列方向において隣り合う単位セルどうしの境界における一部の範囲を除く連続的な１つの範囲に沿って形成された第２部分と、からなり、一の単位セルを仕切る一対の前記第１部分のうち、前記一の単位セルとは前記第２部分を介して列方向に隣接する単位セルに対し列方向において隣に位置する第１部分と、前記隣接する単位セルを仕切る一対の前記第１部分のうち、前記一の単位セルに対し列方向において隣に位置する第１部分とは、当該第２部分を介して互いに連続的に形成されていることを特徴としている。
【００１１】
又、請求項３記載の発明は、請求項１記載のプラズマディスプレイパネルに係り、各単位セルは、各単位セルどうしの境界における全範囲に沿って形成された隔壁によって互いに仕切られていることを特徴としている。
【００１３】
又、請求項４記載の発明は、請求項１乃至３のいずれか記載のプラズマディスプレイパネルに係り、前記走査電極及び共通電極のそれぞれが、透明電極と、該透明電極に対して接触する金属電極と、によって構成され、前記透明電極の形状が、櫛状であり、前記金属電極が、透明電極の櫛歯状の先端部に位置していることを特徴としている。
【００１４】
又、請求項５記載の発明は、請求項４記載のプラズマディスプレイパネルに係り、前記透明電極の前記櫛状の歯の先端が絞られるように形成されたことを特徴としている。
【００１５】
又、請求項６記載の発明は、請求項１乃至３のいずれか記載のプラズマディスプレイパネルに係り、走査電極及び共通電極のそれぞれが、透明電極と、該透明電極に対して接触する金属電極と、によって構成され、前記透明電極の形状が、帯状であることを特徴としている。
【００１６】
又、請求項７記載の発明は、請求項１乃至６のいずれか記載のプラズマディスプレイパネルに係り、上記走査電極及び上記共通電極が透明な誘電体層で覆われると共に、上記単位セル内の列方向外側に位置する上記誘電体層の内部にカラーフィルタが形成されることを特徴としている。
【００１７】
又、請求項８記載の発明は、請求項７記載のプラズマディスプレイパネルに係り、前記カラーフィルタの形状が、単位セルの中央部に対して開口するＵ字型であることを特徴としている。
【００１８】
【作用】
本発明に係わるプラズマディスプレイパネルは、上記したように構成したので、単位セル１６内の金属電極２が実質一本であり、非放電ギャップのない構造であるため、開口率が大きく向上し、透明電極１ａ、１ｂの発光に寄与する面積を拡大することが出来るため、発光効率の向上する。
【００１９】
また、二行分の走査が同時にできるため、走査期間を半分に短縮でき、増えた期間を維持期間やプライミング期間に割り当てられる。
【００２０】
また、透明電極１ａ、１ｂの発光に寄与しない面積を削減したため、各電極間の静電容量を充放電するための電流の低減及び無効電力の低減を可能にした。透明電極１ａ、１ｂが帯状である場合は、作成が容易であり、組み立てずれの回避及び歩留まりの向上ができる。
【００２１】
そして、ある程度の厚さを持ったカラーフィルタを形成したり、串状隔壁を形成することにより、列方向単位セル間の放電干渉を防止できる。ここで、カラーフィルタは、色再現性の向上やコントラストの向上にも作用する。
【００２２】
さらに、本発明のプラズマディスプレイパネルは、従来のプラズマディスプレイパネルに比べ、データ電極数が二倍になるが、単位セル内では、データ電極は突出部上に形成されているため、データ電極間の距離が長くなり、データ電極間の静電容量を大きく増加させることはない。
【００２３】
【発明の実施の形態】
本発明に係わるプラズマディスプレイパネルは、
前面基板と背面基板とを対向配置して、紫外線を発生するガスを封止すると共に、前記前面基板と背面基板との間隙にマトリクス状に配設された複数の放電セルを形成したプラズマディスプレイパネルであって、
奇数行に配置された単位セルと前記奇数行に隣接する偶数行に配置された単位セルとが、行方向の単位セル幅の半分だけ、行方向に互いにずらされて配列されると共に、行方向に連続して配置された赤色発光用の単位セルと緑色発光用の単位セルと青色発光用の単位セルとが一画素を構成し、列方向に直交する方向に、走査電極及び共通電極がそれぞれ交互に配列され、且つ、奇数行セルと偶数行セルとにそれぞれ異なるデータ電極が設けられ、一本の前記走査電極で前記奇数行セルと前記偶数行セルとの二行分の書き込み放電を同時に行うように構成したことを特徴とするものである。
【００２４】
【実施例】
以下に、図面を参照して、この発明の実施例について説明する。
【００２５】
図１は、本発明の第一実施例であるプラズマディスプレイパネルの構造を示す平面図、図２は、図１のＡ-Ａ矢視断面図、図３は、図１のＢ-Ｂ矢視断面図である。また、図４は、本発明の第一実施例であるプラズマディスプレイパネルの背面基板の斜視図である。図１乃至図４に示すように、走査電極３及び共通電極４は、例えば、ソーダライムガラス等の透明基板から成る前面基板１０上に形成され、画面の行方向Ｈに、交互に且つ平行に配列される。走査電極３及び共通電極４は、例えば、銅、銀、アルミニウム等の金属電極２ａ、２ｂと、ＩＴＯ（Ｉｎｄｉｕｍ  Ｔｉｎ  Ｏｘｉｄｅ）、酸化錫(ＮＥＳＡ)等の透明電極１ａ、１ｂとから成り、走査電極３及び共通電極４は、亜鉛含有フリットガラス、鉛含有フリットガラス等から成る誘電体層８ａで覆われる。そして、誘電体層８ａの内部には、例えば、鉛含有フリットガラスと赤色、緑色、青色のそれぞれの顔料粉末を混合したカラーフィルタ５Ｒ、５Ｇ、５Ｂ、及び、例えば鉛含有フリットガラスと黒色の顔料粉末とを混合した波状遮光部６が挟まれ、誘電体層８ａは、例えば、ＭｇＯ（酸化マグネシウム）から成る保護層９で覆われる。
【００２６】
背面基板１１は、前面基板１０と同様にソーダライムガラス等の透明基板から成り、その背面基板１１上の単位セル１６の中央に位置する部分に亜鉛含有フリットガラス、鉛含有フリットガラス等から成る突出部１２が形成され、さらに銅、銀、アルミニウム等から成るデータ電極７が、走査電極３及び共通電極４と直交するように画面の列方向Ｖに沿って、突出部１２の上及び間を通って配列される。データ電極７は、亜鉛含有フリットガラス、鉛含有フリットガラス等から成る誘電体層８ｂで覆われ、例えば、鉛含有フリットガラス等から成る波状隔壁１３が、画面の列方向Ｖに沿って、隣接する突出部１２の間にあたる誘電体層８ｂ上に形成される。ここで、単位セル１６は画面の列方向Ｖにおいて、交互に画面の行方向Ｈにずれた配置となり、行方向Ｈの３つの単位セル１６で１画素を構成する。そして、誘電体層８ｂ表面と波状隔壁１３側面に、赤色、緑色、青色の３原色の発光が得られる蛍光体１４Ｒ、１４Ｇ、１４Ｂがそれぞれ交互に塗布される。各蛍光体１４は、周知の材料を用いることができ、赤用蛍光体としては、例えば（Ｙ，Ｇａ）ＢＯ３：Ｅｕが、緑用蛍光体としては、例えば、Ｚｎ２ＳｉＯ４：Ｍｎが、青用蛍光体としては、例えば、ＢａＭｇＡｌ１４Ｏ２３：Ｅｕがそれぞれ用いられる。
【００２７】
前面基板１０と背面基板１１とは、走査電極３及び共通電極４とデータ電極７とが直交するように、又、波状遮光部６と波状隔壁１３とが重なるように対向して一体に組み立てられ、各波状隔壁１３間の放電空間１５内には、放電により紫外線を発生する紫外線発生用ガスが封入される。この紫外線発生用ガスとしては、例えばＮｅとＸｅとの混合ガス、ＨｅとＮｅとＸｅとの混合ガス等が用いられる。
【００２８】
上述のような構成によれば、走査電極３を一本選択した時、その走査電極３の両側にあるセルを同時に書き込むことができる。このことを図５を用いて詳細に説明する。図５は本発明の電極配置図であり、４画素（行方向）×４画素（列方向）の例を示している。また、波状隔壁１３の下に位置するデータ電極７は細く、突出部１２の上に位置するデータ電極７は太く示している。書き込み放電を行う時、例えば走査電極Ｓ１に負極性パルスを印加すると共に、発光させたい単位セル１６に配置されたデータ電極Ｄ１乃至Ｄ２４に正極性パルスを印加すると、走査電極Ｓ１とデータ電極Ｄ１乃至Ｄ２４の太い部分とが交差する部分で書き込み放電が起こる。ここで、走査電極Ｓ１が１行目のセルと２行目のセルとに跨っているため、奇数番目のデータ電極で１行目のセルを書き込み、偶数番目のデータ電極で２行目のセルを書き込むことができる。従来のプラズマディスプレイパネルでは、一本の走査電極で１行分のセルしか書き込みができなかったが、本発明のプラズマディスプレイパネルでは、一本の走査電極で２行分のセルを書き込むことができる。従って、従来のプラズマディスプレイパネルに比べ、半分の走査期間で駆動することができる。
【００２９】
そして、単位セル１６内の金属電極２が実質一本であり、非放電ギャップが無いため、開口率を大きく向上でき、透明電極１ａ、１ｂの発光に寄与する面積を拡大することができる。
【００３０】
また、奇数行目のセルと偶数行目のセルは、波状隔壁１３によって行方向にずれているため、隣接セルの放電干渉を防ぐこともできる。
【００３１】
そして、カラーフィルタ５を列方向Ｖのセル間にのみ設け、列方向Ｖのセル間に位置する走査電極３又は共通電極４と保護層９との間の膜厚が大きくなるため、列方向Ｖのセル間での壁電荷の蓄積が少なくなる。このため、列方向Ｖのセル間の放電干渉を防ぐことができる。
【００３２】
さらに、突出部１２が設けられているため、データ電極７間の距離が長くなり、データ電極７間の静電容量を低減することができ、走査電極３とデータ電極７との距離が放電ギャップ２０付近で短くなるため、書き込み放電をより確実にできる。
【００３３】
また、透明電極１ａ、１ｂの発光に寄与しない面積を削減したため、静電容量の充放電電流を低減できる。
【００３４】
図６は、本発明の第二実施例であるプラズマディスプレイパネルの構造を示す平面図、図７は、図６のＥ-Ｅ矢視断面図、図８は、図６のＦ-Ｆ矢視断面図である。また、図９は、本発明の第二実施例であるプラズマディスプレイパネルの背面基板の斜視図である。図６乃至図９に示すように、走査電極３及び共通電極４は、例えば、ソーダライムガラス等の透明基板から成る前面基板１０上に形成され、画面の行方向Ｈに、交互に且つ平行に配列される。走査電極３及び共通電極４は、例えば、銅、銀、アルミニウム等の金属電極２ａ、２ｂと、ＩＴＯ（Ｉｎｄｉｕｍ  Ｔｉｎ  Ｏｘｉｄｅ）、酸化錫(ＮＥＳＡ)等の透明電極１ａ、１ｂとから成り、走査電極３及び共通電極４は、亜鉛含有フリットガラス、鉛含有フリットガラス等から成る誘電体層８ａで覆われる。そして、誘電体層８ａの内部には、例えば、鉛含有フリットガラスと黒色の顔料粉末とを混合した串状遮光部１８が挟まれ、誘電体層８ａは、例えばＭｇＯ（酸化マグネシウム）から成る保護層９で覆われる。
【００３５】
背面基板１１は、前面基板１０と同様にソーダライムガラス等の透明基板から成り、その背面基板１１上の単位セル１６の中央に位置する部分に亜鉛含有フリットガラス、鉛含有フリットガラス等から成る突出部１２が形成され、更に、銅、銀、アルミニウム等から成るデータ電極７が、走査電極３及び共通電極４と直交するように画面の列方向Ｖに沿って、突出部１２の上及び間を通って配列される。データ電極７は、亜鉛含有フリットガラス、鉛含有フリットガラス等から成る誘電体層８ｂで覆われ、例えば鉛含有フリットガラス等から成る串状隔壁１９が、画面の列方向Ｖに沿って、隣接するの突出部１２の間にあたる誘電体層８ｂ上に形成される。ここで、単位セル１６は、画面の列方向Ｖにおいて、交互に画面の行方向Ｈにずれた配置となり、行方向Ｈの３つの単位セル１６で１画素となる。そして、誘電体層８ｂ表面と串状隔壁１９側面に、赤色、緑色、青色の３原色の発光が得られる蛍光体１４Ｒ、１４Ｇ、１４Ｂが交互に塗布される。各蛍光体１４は、周知の材料を用いることができ、赤用蛍光体としては、例えば（Ｙ，Ｇａ）ＢＯ３：Ｅｕが、緑用蛍光体としては、例えば、Ｚｎ２ＳｉＯ４：Ｍｎが、青用蛍光体としては、例えば、ＢａＭｇＡｌ１４Ｏ２３：Ｅｕがそれぞれ用いられる。
【００３６】
前面基板１０と背面基板１１は、走査電極３及び共通電極４とデータ電極７とが直交するように、又、串状遮光部１８と串状隔壁１９とが重なるように対向して一体に組み立てられ、各串状隔壁１９間の放電空間１５内には放電により紫外線を発生する紫外線発生用ガスが封入される。この紫外線発生用ガスとしては、例えばＮｅとＸｅとの混合ガス、ＨｅとＮｅとＸｅとの混合ガス等が用いられる。
【００３７】
上述のような構成によれば、走査電極３を一本選択した時、その走査電極３の両側にあるセルを同時に書き込むことができる。このことは本発明の第一実施例と同様であり、電極配置においても同様であるため、図５を用いて説明する。図５は、本発明の電極配置図であり、４画素（行方向）×４画素（列方向）の例を示している。また、串状隔壁１９の下に位置するデータ電極７は細く、突出部１２の上に位置するデータ電極７は太く示している。書き込み放電を行う時、例えば走査電極Ｓ１に負極性パルスを印加すると共に、発光させたい単位セル１６に配置されたデータ電極Ｄ１乃至Ｄ２４に正極性パルスを印加すると、走査電極Ｓ１とデータ電極Ｄ１乃至Ｄ２４の太い部分とが交差する部分で書き込み放電が起こる。ここで、走査電極Ｓ１が１行目のセルと２行目のセルとに跨っているため、奇数番目のデータ電極で１行目のセルを書き込み、偶数番目のデータ電極で２行目のセルを書き込むことができる。従来のプラズマディスプレイパネルでは、一本の走査電極で１行分のセルしか書き込みができなかったが、本発明のプラズマディスプレイパネルでは、一本の走査電極で２行分のセルを書き込むことができる。従って、従来のプラズマディスプレイパネルに比べ、半分の走査期間で駆動することができる。
【００３８】
そして、単位セル１６内の金属電極２が実質一本であり、非放電ギャップが無いため、開口率を大きく向上でき、透明電極１ａ、１ｂの発光に寄与する面積を拡大できる。
【００３９】
また、奇数行目のセルと偶数行目のセルは串状隔壁１９によって行方向にずれているため、隣接セルの放電干渉を防ぐことができる。
【００４０】
そして、列方向Ｖのセル間に串状隔壁１９が設けられているため、列方向Ｖのセル間で放電が発生する空間が少なくなる。このため、列方向Ｖのセル間の放電干渉を防ぐことができる。
【００４１】
さらに、突出部１２があるため、データ電極７間の距離が長くなり、データ電極７間の静電容量を低減することができ、走査電極３とデータ電極７との距離が放電ギャップ２０付近で短くなるため、書き込み放電をより確実にできる。
【００４２】
また、透明電極１ａ、１ｂの発光に寄与しない面積を削減したため、静電容量の充放電電流を低減できる。
【００４３】
図１０は、本発明の第三実施例であるプラズマディスプレイパネルの構造を示す平面図、図１１は、図１０のＪ-Ｊ矢視断面図、図１２は、図１０のＫ-Ｋ矢視断面図である。図１０乃至図１２に示すように、走査電極３及び共通電極４は、例えば、ソーダライムガラス等の透明基板から成る前面基板１０上に形成され、画面の行方向Ｈに、交互に且つ平行に配列される。走査電極３及び共通電極４は、例えば、銅、銀、アルミニウム等の金属電極２ａ、２ｂと、ＩＴＯ（Ｉｎｄｉｕｍ  Ｔｉｎ  Ｏｘｉｄｅ）、酸化錫(ＮＥＳＡ)等の透明電極１ａ、１ｂとから成り、走査電極３及び共通電極４は、亜鉛含有フリットガラス、鉛含有フリットガラス等から成る誘電体層８ａで覆われる。そして、誘電体層８ａの内部には、例えば、鉛含有フリットガラスと赤色、緑色、青色のそれぞれの顔料粉末を混合したカラーフィルタ５Ｒ、５Ｇ、５Ｂ、及び、例えば鉛含有フリットガラスと黒色の顔料粉末とを混合した波状遮光部６が挟まれ、誘電体層８ａは、例えば、ＭｇＯ（酸化マグネシウム）から成る保護層９で覆われる。
【００４４】
背面基板１１は、前面基板１０と同様にソーダライムガラス等の透明基板から成り、その背面基板１１上の単位セル１６の中央に位置する部分に亜鉛含有フリットガラス、鉛含有フリットガラス等から成る突出部１２が形成され、さらに銅、銀、アルミニウム等から成るデータ電極７が、走査電極３及び共通電極４と直交するように画面の列方向Ｖに沿って、突出部１２の上及び間を通って配列される。データ電極７は、亜鉛含有フリットガラス、鉛含有フリットガラス等から成る誘電体層８ｂで覆われ、例えば、鉛含有フリットガラス等から成る波状隔壁１３が、画面の列方向Ｖに沿って、隣接する突出部１２の間にあたる誘電体層８ｂ上に形成される。ここで、単位セル１６は画面の列方向Ｖにおいて、交互に画面の行方向Ｈにずれた配置となり、行方向Ｈの３つの単位セル１６で１画素を構成する。そして、誘電体層８ｂ表面と波状隔壁１３側面に、赤色、緑色、青色の３原色の発光が得られる蛍光体１４Ｒ、１４Ｇ、１４Ｂがそれぞれ交互に塗布される。各蛍光体１４は、周知の材料を用いることができ、赤用蛍光体としては、例えば（Ｙ，Ｇａ）ＢＯ３：Ｅｕが、緑用蛍光体としては、例えば、Ｚｎ２ＳｉＯ４：Ｍｎが、青用蛍光体としては、例えば、ＢａＭｇＡｌ１４Ｏ２３：Ｅｕがそれぞれ用いられる。
【００４５】
前面基板１０と背面基板１１とは、走査電極３及び共通電極４とデータ電極７とが直交するように、又、波状遮光部６と波状隔壁１３とが重なるように対向して一体に組み立てられ、各波状隔壁１３間の放電空間１５内には、放電により紫外線を発生する紫外線発生用ガスが封入される。この紫外線発生用ガスとしては、例えばＮｅとＸｅとの混合ガス、ＨｅとＮｅとＸｅとの混合ガス等が用いられる。
【００４６】
上述のような構成によれば、走査電極３を一本選択した時、その走査電極３の両側にあるセルを同時に書き込むことができる。従来のプラズマディスプレイパネルでは、一本の走査電極で１行分のセルしか書き込みができなかったが、本発明のプラズマディスプレイパネルでは、一本の走査電極で２行分のセルを書き込むことができる。従って、従来のプラズマディスプレイパネルに比べ、半分の走査期間で駆動することができる。
【００４７】
そして、単位セル１６内の金属電極２が実質一本であり、非放電ギャップが無いため、開口率を大きく向上でき、透明電極１ａ、１ｂの発光に寄与する面積を拡大することができる。
【００４８】
また、奇数行目のセルと偶数行目のセルは、波状隔壁１３によって行方向にずれているため、隣接セルの放電干渉を防ぐこともできる。
【００４９】
そして、カラーフィルタ５を列方向Ｖのセル間にのみ設け、列方向Ｖのセル間に位置する走査電極３又は共通電極４と保護層９との間の膜厚が大きくなるため、列方向Ｖのセル間での壁電荷の蓄積が少なくなる。このため、列方向Ｖのセル間の放電干渉を防ぐことができる。
【００５０】
さらに、突出部１２が設けられているため、データ電極７間の距離が長くなり、データ電極７間の静電容量を低減することができ、走査電極３とデータ電極７との距離が放電ギャップ２０付近で短くなるため、書き込み放電をより確実にできる。
【００５１】
また、透明電極１ａ、１ｂが帯状であるため作成が容易であり、組み立てずれの回避及び歩留まりの向上ができる。
【００５２】
以上、本発明の実施例を図面により詳述してきたが、具体的な構成はこの実施例に限られるものではなく、本発明の要旨を逸脱しない範囲で設計の変更等があっても本発明に含まれる。例えば、透明電極１の形状は、本発明において特に限定されるものではなく、本実施例のような櫛状の歯がボトル形以外にも、長方形や三角形であっても良い。また、カラーフィルタ５の形状は、本発明において特に限定されるものではなく、本実施例のようなＵ字形以外にも、長方形であっても良い。
【００５３】
【発明の効果】
以上説明したように、この発明のプラズマディスプレイパネルの構成によれば、単位セル内の金属電極が実質一本であり、非放電ギャップのない構造であるため、開口率を大きく向上することができ、透明電極の発光に寄与する面積の拡大を実現したプラズマディスプレイパネルが提供される。
【００５４】
また、二行分の走査が同時にできるため、走査期間を半分に短縮でき、増えた期間を維持期間やプライミング期間に割り当てられるプラズマディスプレイパネルが提供される。
【００５５】
また、透明電極の発光に寄与しない面積を削減したため、静電容量の充放電電流の低減を実現したプラズマディスプレイパネルが提供される。透明電極１ａ、１ｂが帯状である場合は、作成が容易であり、組み立てずれの回避及び歩留まりの向上を実現したプラズマディスプレイパネルが提供される。
【００５６】
更に、ある程度の厚さを持ったカラーフィルタを形成したり、串状隔壁を形成することにより、列方向単位セル間の放電干渉の防止を実現したプラズマディスプレイパネルが提供される。ここで、カラーフィルタは、色再現性の向上やコントラストの向上にも寄与する。
【００５７】
また、この発明のプラズマディスプレイパネルの構成によれば、従来のプラズマディスプレイパネルに比べ、データ電極数が二倍となるが、データ電極が、交互に突出しているため、データ電極間の距離が長くなり、データ電極間の静電容量を大きく増加させることがないプラズマディスプレイパネルが提供される。
【図面の簡単な説明】
【図１】本発明の第一実施例であるプラズマディスプレイパネルの平面図である。
【図２】図１のＡ-Ａ矢視断面図である。
【図３】図１のＢ-Ｂ矢視断面図である。
【図４】本発明の第一実施例であるプラズマディスプレイパネルの背面基板の斜視図である。
【図５】本発明のプラズマディスプレイパネルの電極配置を示す図である。
【図６】本発明の第二実施例であるプラズマディスプレイパネルの平面図である。
【図７】図６のＥ-Ｅ矢視断面図である。
【図８】図６のＦ-Ｆ矢視断面図である。
【図９】本発明の第二実施例であるプラズマディスプレイパネルの背面基板の斜視図である。
【図１０】本発明の第三実施例であるプラズマディスプレイパネルの平面図である。
【図１１】図１０のＪ-Ｊ矢視断面図である。
【図１２】図１０のＫ-Ｋ矢視断面図である。
【図１３】従来のプラズマディスプレイパネルの斜視図である。
【図１４】図１３のＬ-Ｌ矢視断面図である。
【図１５】図１３のＭ-Ｍ矢視断面図である。
【符号の説明】
１ａ、１ｂ、２３ａ、２３ｂ  透明電極
２ａ、２ｂ  金属電極
３、２４  走査電極
４、２５  共通電極
５Ｒ、５Ｇ、５Ｂ  カラーフィルタ
６  波状遮光部
７  データ電極
８ａ、８ｂ  誘電体層
９  保護層
１０  前面基板
１１  背面基板
１２  突出部
１３  波状隔壁
１４Ｒ、１４Ｇ、１４Ｂ  蛍光体
１５  放電空間
１６  単位セル
１７  単位画素
１８  串状遮光部
１９  串状隔壁
２０  放電ギャップ
２１  非放電ギャップ
２２  帯状隔壁
【図１】
0003994626.tif 000002
【図２】
0003994626.tif 000003
【図３】
0003994626.tif 000004
【図４】
0003994626.tif 000005
【図５】
0003994626.tif 000006
【図６】
0003994626.tif 000007
【図７】
0003994626.tif 000008
【図８】
0003994626.tif 000009
【図９】
0003994626.tif 000010
【図１０】
0003994626.tif 000011
【図１１】
0003994626.tif 000012
【図１２】
0003994626.tif 000013
【図１３】
0003994626.tif 000014
【図１４】
0003994626.tif 000015
【図１５】
0003994626.tif 000016